【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
所定数の画像データを含む１つまたは複数のビデオストリームを送信する送信部と、
複数の画像データを送信する第１の送信モードと単一の画像データを送信する第２の送信モードとを識別するための補助情報を、上記ビデオストリームに挿入する情報挿入部とを備える
画像データ送信装置。
【請求項２】
上記情報挿入部は、
上記第１の送信モードでは、上記ビデオストリームに、該第１の送信モードであることを示す補助情報を挿入し、上記第２のモードでは、上記ビデオストリームに、該第２の送信モードであることを示す補助情報を挿入する
請求項１に記載の画像データ送信装置。
【請求項３】
上記情報挿入部は、
上記第１の送信モードでは、上記ビデオストリームに、該第１の送信モードであることを示す補助情報を挿入し、上記第２の送信モードでは、上記ビデオストリームに上記補助情報を挿入しない
請求項１に記載の画像データ送信装置。
【請求項４】
上記情報挿入部は、
上記第１の送信モードでは、上記ビデオストリームに上記補助情報を挿入せず、上記第２の送信モードでは、上記ビデオストリームに、該第２の送信モードであることを示す補助情報を挿入する
請求項１に記載の画像データ送信装置。
【請求項５】
上記情報挿入部は、
上記ビデオストリームに、上記補助情報を、少なくとも、番組単位、シーン単位、ピクチャグループ単位、あるいはピクチャ単位で挿入する
請求項１に記載の画像データ送信装置。
【請求項６】
上記送信部は、
上記第１の送信モードでは、第１の画像データを含む基本ビデオストリームと、該第１の画像データと共に使用される第２の画像データを含む所定数の追加ビデオストリームを送信し、
上記第２の送信モードでは、上記第１の画像データを含む１つのビデオストリームを送信する
請求項１に記載の画像データ送信装置。
【請求項７】
上記送信部は、
上記第１の送信モードでは、第１の画像データを含む基本ビデオストリームと、該第１の画像データと共に使用される第２の画像データを含む所定数の追加ビデオストリームを送信し、
上記第２の送信モードでは、第１の画像データを含む基本ビデオストリームと、該第１の画像データと同じ画像データを実質的に含む所定数の追加ビデオストリームとを送信する
請求項１に記載の画像データ送信装置。
【請求項８】
上記第１の送信モードは、立体画像表示のための、ベースビューの画像データと、該ベースビューの画像データと共に使用されるノンベースビューの画像データを送信する立体画像送信モードであり、
上記第２の送信モードは、２次元画像データを送信する２次元画像送信モードである
請求項１に記載の画像データ送信装置。
【請求項９】
上記立体画像送信モードを示す上記補助情報は、上記各ビューの相対位置関係を示す情報を含む
請求項８に記載の画像データ送信装置。
【請求項１０】
上記第１の送信モードは、スケーラブル符号化画像データを構成する、最下位階層の画像データと、該最下位階層以外の階層の画像データを送信する拡張画像送信モードであり、
上記第２の送信モードは、基本画像データを送信する基本画像送信モードである
請求項１に記載の画像データ送信装置。
【請求項１１】
上記送信部は、上記ビデオストリームを含む所定フォーマットのコンテナを送信し、
上記コンテナのレイヤに、上記第１の送信モードにあるか上記第２の送信モードにあるかを識別するための識別情報を挿入する識別情報挿入部をさらに備える
請求項１に記載の画像データ送信装置。
【請求項１２】
所定数の画像データを含む１つまたは複数のビデオストリームを送信する送信ステップと、
複数の画像データを送信する第１の送信モードと単一の画像データを送信する第２の送信モードとを識別するための補助情報を、上記ビデオストリームに挿入する情報挿入ステップとを備える
画像データ送信方法。
【請求項１３】
所定数の画像データを含む１つまたは複数のビデオストリームを受信する受信部と、
上記受信されたビデオストリームに挿入されている補助情報に基づいて、複数の画像データが送信される第１の送信モードであるか単一の画像データが送信される第２の送信モードであるかを識別する送信モード識別部と、
上記受信されたビデオストリームを、上記モード識別結果に基づいて、各モードに応じた処理を行って、上記所定数の画像データを取得する処理部とを備える
画像データ受信装置。
【請求項１４】
上記送信モード識別部は、
上記受信されたビデオストリームに第１の送信モードであることを示す補助情報が挿入されているとき、該第１の送信モードであると識別し、
上記受信されたビデオストリームに第２の送信モードであることを示す補助情報が挿入されているとき、該第２の送信モードであると識別する
請求項１３に記載の画像データ受信装置。
【請求項１５】
上記送信モード識別部は、
上記受信されたビデオストリームに第１の送信モードであることを示す補助情報が挿入されているとき、該第１の送信モードであることを識別し、
上記受信されたビデオストリームに上記補助情報の挿入がないとき、上記第２の送信モードであると識別する
請求項１３に記載の画像データ受信装置。
【請求項１６】
上記送信モード識別部は、
上記受信されたビデオストリームに上記補助情報の挿入がないとき、上記第１の送信モードであると識別し、
上記受信されたビデオストリームに第２の送信モードであることを示す補助情報が挿入されているとき、該第２の送信モードであることを識別する
請求項１３に記載の画像データ受信装置。
【請求項１７】
上記受信部は、
上記第１の送信モードでは、第１の画像データを含む基本ビデオストリームと、該第１の画像データと共に使用される第２の画像データを含む所定数の追加ビデオストリームを受信し、上記第２の送信モードでは、第１の画像データを含む１つのビデオストリームを受信し、
上記処理部は、
上記第１の送信モードでは、上記基本ビデオストリームおよび上記所定数の追加のビデオストリームを処理して、上記第１の画像データおよび上記第２の画像データを取得し、上記第２の送信モードでは、上記１つのビデオストリームを処理して、上記第１の画像データを取得する
請求項１３に記載の画像データ受信装置。
【請求項１８】
上記受信部は、
上記第１の送信モードでは、第１の画像データを含む基本ビデオストリームと、該第１の画像データと共に使用される第２の画像データを含む所定数の追加ビデオストリームを受信し、上記第２の送信モードでは、第１の画像データを含む基本ビデオストリームと、該第１の画像データと同じ画像データを実質的に含む所定数の追加ビデオストリームとを受信し、
上記処理部は、
上記第１の送信モードでは、上記基本ビデオストリームおよび上記所定数の追加のビデオストリームを処理して、上記第１の画像データおよび上記第２の画像データを取得し、上記第２の送信モードでは、上記所定数の追加のビデオストリームから上記第２の画像データを取得する処理を行うことなく、上記基本のビデオストリームを処理して、上記第１の画像データを取得する
請求項１３に記載の画像データ受信装置。
【請求項１９】
上記受信部は、
上記ビデオストリームを含む所定フォーマットのコンテナを受信し、
上記コンテナには、上記コンテナのレイヤに、上記第１の送信モードにあるか上記第２の送信モードにあるかを識別するための識別情報が挿入されており、
上記送信モード識別部は、上記受信されたビデオストリームに挿入されている補助情報および上記コンテナのレイヤに挿入されている識別情報に基づいて、複数の画像データが送信される第１の送信モードであるか単一の画像データが送信される第２の送信モードであるかを識別する
請求項１３に記載の画像データ受信装置。
【請求項２０】
上記第１の送信モードは、立体画像表示のための、ベースビューの画像データと、該ベースビューの画像データと共に使用されるノンベースビューの画像データを送信する立体画像送信モードであり、
上記第２の送信モードは、２次元画像データを送信する２次元画像送信モードである
請求項１３に記載の画像データ受信装置。